(57)【要約】      （修正有）【課題】光学的な情報読取機能と非接触通信機能とを共に備える光学的情報読取装置において、ケース内の所定位置にアンテナを安定的に収容し、かつ当該アンテナ付近を衝撃から適切に保護しうる構成を提供する。【解決手段】光学的情報読取装置１は、アンテナを有するアンテナユニット５０がケース２内に収容された構成をなしている。アンテナユニット５０は、アンテナと、このアンテナを保持する基板５３とが一体化されてなるものであり、ケース２内にはこのアンテナユニット５０を支持する複数の支持台６１〜６４が設けられている。これら複数の支持台６１〜６４は互いに間隔をあけて配置されており、支持台間には支持台同士を連結する補強リブ６５〜６８が設けられている。【選択図】図１
2010134896.tif 000002
【特許請求の範囲】
【請求項１】
ケースと
光学的情報を読み取る光学的情報読取手段と、
アンテナを備え、前記アンテナを用いて非接触通信媒体と非接触通信を行う非接触通信手段と、
を有し、
前記アンテナが前記ケース内に収容されてなる光学的情報読取装置であって、
前記アンテナを保持する基板と、
前記アンテナが前記基板に保持されてなるアンテナユニットを支持する複数の支持台と、
を備え、
複数の前記支持台が互いに間隔をあけて配置されると共に、前記アンテナユニットにおける複数位置において当該アンテナユニットと前記支持台とが固定手段によって固定されており、
少なくともいずれかの前記支持台と、他の前記支持台とが補強リブによって連結されていることを特徴とする光学的情報読取装置。
【請求項２】
複数の前記支持台はそれぞれ、前記アンテナユニットの周縁部付近を支持していることを特徴とする請求項１に記載の光学的情報読取装置。
【請求項３】
前記支持台は、前記ケースの内壁部に形成された突出部からなり、
前記補強リブは、前記内壁部においていずれかの前記突出部と他の前記突出部とを連結する形態で形成されていることを特徴とする請求項１又は請求項２に記載の光学的情報読取装置。
【請求項４】
前記ケースは長手状に形成されており、
複数の前記支持台の内、少なくとも前記ケースの長手方向に沿って対向する２つの前記支持台が前記補強リブによって連結されていることを特徴とする請求項１から請求項３のいずれか一項に記載の光学的情報読取装置。
【請求項５】
複数の前記支持台は、前記アンテナユニットの周縁部に沿って配置されており、
それら複数の前記支持台の内、前記周縁部に沿って隣接する前記支持台同士をそれぞれ連結するように、複数の前記補強リブが環状に設けられていることを特徴とする請求項１から請求項４のいずれか一項に記載の光学的情報読取装置。
【請求項６】
前記アンテナユニットと前記支持台との間に、前記支持台よりも軟質の柔軟部材が挟み込まれていることを特徴とする請求項１から請求項５のいずれか一項に記載の光学的情報読取装置。
【請求項７】
前記アンテナは、前記基板の一方の板面側に搭載されており、
複数の前記支持台はそれぞれ、前記一方の板面における前記アンテナが搭載された領域以外の領域を支持していること特徴とする請求項１から請求項６のいずれか一項に記載の光学的情報読取装置。
【請求項８】
前記アンテナは、板状のセラミック材を有してなり、
前記アンテナユニットは、前記セラミック材と前記基板とが重ねられた状態で固定されていることを特徴とする請求項１から請求項７のいずれか一項に記載の光学的情報読取装置。
【請求項９】
前記アンテナは矩形状に構成され、
前記基板は、前記アンテナよりも大きいサイズで矩形状に構成され、当該基板の中央領域に前記アンテナが搭載されており、
複数の前記支持台は、前記基板における前記アンテナが搭載された一方面側の角部をそれぞれ支持する構成をなし、
それら複数の前記支持台の内、前記アンテナユニットの周縁部に沿って隣接する前記支持台同士がそれぞれ前記補強リブによって連結された構成で、複数の前記補強リブが矩形枠状に形成されており、
更に、複数の前記補強リブによって構成される矩形枠の内側に、矩形状の前記アンテナが収容されていることを特徴とする請求項１から請求項８のいずれか一項に記載の光学的情報読取装置。
【請求項１０】
前記アンテナユニットの側部と対向する位置に、当該アンテナユニットの側部と当接可能に配置され且つ弾性的に変形可能とされた当接リブが設けられていることを特徴とする請求項１から請求項９のいずれか一項に記載の光学的情報読取装置。
【請求項１１】
前記当接リブは、前記補強リブより薄く構成されていることを特徴とする請求項１０に記載の光学的情報読取装置。
【請求項１２】
前記当接リブは、前記補強リブよりも軟質の材料によって構成されていることを特徴とする請求項１０又は請求項１１に記載の光学的情報読取装置。
【請求項１３】
前記当接リブは、前記ケースの側壁部及び底壁部と一体化されていることを特徴とする請求項１０から請求項１２のいずれか一項に記載の光学的情報読取装置。
【請求項１４】
前記ケースの長手方向に並ぶ構成で複数の前記当接リブが配置されており、これら複数の前記当接リブが、前記アンテナユニットの同じ側の側部と対向していることを特徴とする請求項１０から請求項１３のいずれか一項に記載の光学的情報読取装置。
【請求項１５】
前記ケースは、第１のケース体と第２のケース体とを有し、
前記ケースの長手方向複数位置において、前記第１のケース体と前記第２のケース体とを連結する連結部が設けられており、
前記長手方向に並ぶ複数の前記当接リブは、前記連結部に遠い位置に配置される第１当接リブと、当該第１当接リブより前記連結部から近い位置に配置される第２当接リブとを有し、
前記第１当接リブのほうが前記第２当接リブよりも変形し難い構造とされていることを特徴とする請求項１４に記載の光学的情報読取装置。
【請求項１６】
前記第１当接リブは、前記ケースに連結された板状の延出壁と、前記ケースに連結され且つ前記延出壁と一体化された板状の対向壁とを備え、前記延出壁の一端部と前記対向壁の一方の板面部とが連結された構成をなし、前記対向壁の他方の板面部を前記アンテナユニットの側部と対向させた構成で配置されており、
前記第２当接リブは、板状部を有し、当該板状部の側端部を前記アンテナユニットの側部と対向させた構成で配置されていることを特徴とする請求項１５に記載の光学的情報読取装置。
【請求項１７】
前記当接リブは、前記ケースに連結された板状の延出壁と、前記ケースに連結され且つ前記延出壁と一体化された板状の対向壁とを備え、前記延出壁の一端部と前記対向壁の一方の板面部とが連結された構成をなしており、前記対向壁の他方の板面部を前記アンテナユニットの側部と対向させた構成で配置されていることを特徴とする請求項１０から請求項１５のいずれか一項に記載の光学的情報読取装置。
【請求項１８】
前記アンテナユニットの前記基板には、前記対向壁と対向する位置において、当該基板の内側向きに凹となる切欠部が形成され、
前記対向壁の前記他方の板面部が、前記切欠部の凹み方向奥側に配された内壁奥部と対向し、前記対向壁の一対の側端部が、前記切欠部の一対の内壁側部と対向した構成で、前記対向壁が前記切欠部に嵌り込んでいることを特徴とする請求項１６又は請求項１７に記載の光学的情報読取装置。
【請求項１９】
前記対向壁の下端部が、前記ケースの底壁部に接合された第１接合部として構成され、前記延出壁の下端部が前記ケースの前記底壁部に接合された第２接合部として構成されていることを特徴とする請求項１６から請求項１８のいずれか一項に記載の光学的情報読取装置。
【発明の詳細な説明】
【技術分野】
【０００１】
本発明は、光学的情報読取装置に関するものである。
【背景技術】
【０００２】
バーコードリーダ等の光学的情報読取装置では、現在、非接触通信機能を備えた構成が提供されている。この種の装置では、非接触通信を行うためのアンテナが必須であり、現在では、ケース内の所定位置にアンテナを固定する構成などが用いられている。
【先行技術文献】
【特許文献】
【０００３】
【特許文献１】特開平１１−３３１３３３
【発明の概要】
【発明が解決しようとする課題】
【０００４】
ところで、上記のような光学的情報読取装置は、様々な衝撃が加わることが経験的に知られている。例えば、手に持って使用しうる携帯端末として構成される場合、落下衝撃等が生じる場合があり、このような衝撃は、装置内の各部品に影響を及ぼし、破損等の不具合の原因となりうる。従って、この種の装置では、このような落下衝撃等を想定し、仮に衝撃が生じた場合であっても装置内の部品を適切に保護しうる構成が望まれる。
【０００５】
特に、落下衝撃等が問題となる部品としてはアンテナ付近の構成が挙げられる。即ち、上記のように光学的な情報読取機能と非接触通信機能とを共に備える構成とする場合、装置内にアンテナを設けることが必要となってくるが、このアンテナは一般的にある程度の大きさを要し、落下衝撃等に起因するケースの変形などの影響を受けやすいという問題がある。従って、装置内の部品を適切に保護する構成を実現する上では、特にアンテナ付近を如何に衝撃から保護するかが重要となる。
【０００６】
本発明は、上述した課題を解決するためになされたものであり、光学的な情報読取機能と非接触通信機能とを共に備える光学的情報読取装置において、ケース内の所定位置にアンテナを安定的に収容し、かつ当該アンテナ付近を衝撃から適切に保護しうる構成を提供することを目的とする。
【課題を解決するための手段】
【０００７】
上記目的を達成するため、請求項１の発明は、ケースと、光学的情報を読み取る光学的情報読取手段と、アンテナを備え、前記アンテナを用いて非接触通信媒体と非接触通信を行う非接触通信手段と、を有し、前記アンテナが前記ケース内に収容されてなる光学的情報読取装置であって、前記アンテナを保持する基板と、前記アンテナが前記基板に保持されてなるアンテナユニットを支持する複数の支持台と、を備え、複数の前記支持台が互いに間隔をあけて配置されると共に、前記アンテナユニットにおける複数位置において当該アンテナユニットと前記支持台とが固定手段によって固定されており、少なくともいずれかの前記支持台と、他の前記支持台とが補強リブによって連結されていることを特徴とする。
【０００８】
請求項２の発明は、請求項１に記載の光学的情報読取装置において、複数の前記支持台はそれぞれ、前記アンテナユニットの周縁部付近を支持していることを特徴とする。
【０００９】
請求項３の発明は、請求項１又は請求項２に記載の光学的情報読取装置において、前記支持台は、前記ケースの内壁部に形成された突出部からなり、前記補強リブは、前記内壁部においていずれかの前記突出部と他の前記突出部とを連結する形態で形成されていることを特徴とする。
【００１０】
請求項４の発明は、請求項１から請求項３のいずれか一項に記載の光学的情報読取装置において、前記ケースは長手状に形成されており、複数の前記支持台の内、少なくとも前記ケースの長手方向に沿って対向する２つの前記支持台が前記補強リブによって連結されていることを特徴とする。
【００１１】
請求項５の発明は、請求項１から請求項４のいずれか一項に記載の光学的情報読取装置において、複数の前記支持台は、前記アンテナユニットの周縁部に沿って配置されており、それら複数の前記支持台の内、前記周縁部に沿って隣接する前記支持台同士をそれぞれ連結するように、複数の前記補強リブが環状に設けられていることを特徴とする。
【００１２】
請求項６の発明は、請求項１から請求項５のいずれか一項に記載の光学的情報読取装置において、前記アンテナユニットと前記支持台との間に、前記支持台よりも軟質の柔軟部材が挟み込まれていることを特徴とする。
【００１３】
請求項７の発明は、請求項１から請求項６のいずれか一項に記載の光学的情報読取装置において、前記アンテナは、前記基板の一方の板面側に搭載されており、複数の前記支持台はそれぞれ、前記一方の板面における前記アンテナが搭載された領域以外の領域を支持していること特徴とする。
【００１４】
請求項８の発明は、請求項１から請求項７のいずれか一項に記載の光学的情報読取装置において、前記アンテナは、板状のセラミック材を有してなり、前記アンテナユニットは、前記セラミック材と前記基板とが重ねられた状態で固定されていることを特徴とする。
【００１５】
請求項９の発明は、請求項１から請求項８のいずれか一項に記載の光学的情報読取装置において、前記アンテナは矩形状に構成され、前記基板は、前記アンテナよりも大きいサイズで矩形状に構成され、当該基板の中央領域に前記アンテナが搭載されており、複数の前記支持台は、前記基板における前記アンテナが搭載された一方面側の角部をそれぞれ支持する構成をなし、それら複数の前記支持台の内、前記アンテナユニットの周縁部に沿って隣接する前記支持台同士がそれぞれ前記補強リブによって連結された構成で、複数の前記補強リブが矩形枠状に形成されており、更に、複数の前記補強リブによって構成される矩形枠の内側に、矩形状の前記アンテナが収容されていることを特徴とする。
【００１６】
請求項１０の発明は、請求項１から請求項９のいずれか一項に記載の光学的情報読取装置において、前記アンテナユニットの側部と対向する位置に、当該アンテナユニットの側部と当接可能に配置され且つ弾性的に変形可能とされた当接リブが設けられていることを特徴とする。
【００１７】
請求項１１の発明は、請求項１０に記載の光学的情報読取装置において、前記当接リブが、前記補強リブより薄く構成されていることを特徴とする。
【００１８】
請求項１２の発明は、請求項１０又は請求項１１に記載の光学的情報読取装置において、前記当接リブが、前記補強リブよりも軟質の材料によって構成されていることを特徴とする。
【００１９】
請求項１３の発明は、請求項１０から請求項１２のいずれか一項に記載の光学的情報読取装置において、前記当接リブが、前記ケースの側壁部及び底壁部と一体化されていることを特徴とする。
【００２０】
請求項１４の発明は、請求項１０から請求項１３のいずれか一項に記載の光学的情報読取装置において、前記ケースの長手方向に並ぶ構成で複数の前記当接リブが配置されており、これら複数の前記当接リブが、前記アンテナユニットの同じ側の側部と対向していることを特徴とする。
【００２１】
請求項１５の発明は、請求項１６に記載の光学的情報読取装置において、前記ケースが、第１のケース体と第２のケース体とを有し、前記ケースの長手方向複数位置において、前記第１のケース体と前記第２のケース体とを連結する連結部が設けられており、前記長手方向に並ぶ複数の前記当接リブが、前記連結部に遠い位置に配置される第１当接リブと、当該第１当接リブより前記連結部から近い位置に配置される第２当接リブとを有しており、前記第１当接リブのほうが前記第２当接リブよりも変形し難い構造とされていることを特徴とする。
【００２２】
請求項１６の発明は、請求項１５に記載の光学的情報読取装置において、前記第１当接リブが、前記ケースに連結された板状の延出壁と、前記ケースに連結され且つ前記延出壁と一体化された板状の対向壁とを備え、前記延出壁の一端部と前記対向壁の一方の板面部とが連結された構成をなし、前記対向壁の他方の板面部を前記アンテナユニットの側部と対向させた構成で配置されており、前記第２当接リブは、板状部を有し、当該板状部の側端部を前記アンテナユニットの側部と対向させた構成で配置されていることを特徴とする。
【００２３】
請求項１７の発明は、請求項１０から請求項１５のいずれか一項に記載の光学的情報読取装置において、前記当接リブが、前記ケースに連結された板状の延出壁と、前記ケースに連結され且つ前記延出壁と一体化された板状の対向壁とを備え、前記延出壁の一端部と前記対向壁の一方の板面部とが連結された構成をなしており、前記対向壁の他方の板面部を前記アンテナユニットの側部と対向させた構成で配置されていることを特徴とする。
【００２４】
請求項１８の発明は、請求項１６又は請求項１７に記載の光学的情報読取装置であって、前記アンテナユニットの前記基板における前記対向壁と対向する位置に、当該基板の内側向きに凹となる切欠部が形成され、前記対向壁の前記他方の板面部が、前記切欠部の凹み方向奥側に配された内壁奥部と対向し、前記対向壁の一対の側端部が、前記切欠部の一対の内壁側部と対向した構成で、前記対向壁が前記切欠部に嵌り込んでいることを特徴とする。
【００２５】
請求項１９の発明は、請求項１６から請求項１８のいずれか一項に記載の光学的情報読取装置において、前記対向壁の下端部が、前記ケースの底壁部に接合された第１接合部として構成され、前記延出壁の下端部が前記ケースの前記底壁部に接合された第２接合部として構成されていることを特徴とする。
【発明の効果】
【００２６】
請求項１の発明は、ケース内に光学的情報読取手段と非接触通信手段とが設けられているため、単一の装置で光学的な情報読取機能と非接触通信機能とを共に実現でき、ユーザの利便性を高めることができる。また、アンテナが基板に保持されてなるアンテナユニットを、間隔をあけて配置された複数の支持台によって支持しており、これにより、アンテナをケース内に安定的に固定することができる。更に、少なくともいずれか支持台と他の支持台とが補強リブによって連結されているため、衝撃時に支持台に生じる撓み等の変形を抑えることができ、アンテナユニットに支持台を介して間接的に加わる衝撃を効果的に緩和できる。
【００２７】
請求項２の発明は、複数の支持台がそれぞれアンテナユニットの周縁部付近を支持している。このようにすると、アンテナユニットの中央領域にアンテナ配置スペースを確保しやすくなる。
【００２８】
請求項３の発明は、ケースの内壁部に形成された突出部によって支持台が構成されており、このようにすると、アンテナユニットを支持する構成をケースの一部によって簡易に実現できると共に、アンテナユニットにおいて支持台と当接する領域を小さくでき、更には、支持台付近において部品収容空間を確保しやすくなる。一方、いずれかの突出部と他の突出部を連結する形態で補強リブが設けられているため、支持台を、サイズを抑えた突出構成としつつ、当該支持台（突出部）の強度を効果的に高めることができる。
【００２９】
請求項４の発明は、ケースが長手状に形成され、少なくともケースの長手方向に沿って対向する２つの支持台が補強リブによって連結されている。このようにケースが長手状に構成される場合、作業者が把持しやすくなる反面、衝撃時において長手方向の撓み、変形等が生じやすくなるが、上記のように長手方向に対向する２つの支持台を補強リブによって連結するように構成すれば、ケースに生じる長手方向の撓み等に対応でき、ケース形状を適切に考慮した保護が可能となる。
【００３０】
請求項５の発明は、複数の支持台がアンテナユニットの周縁部に沿って配置されているため、アンテナユニットの周縁部のスペースを利用して当該アンテナユニットを効率的に且つ安定的に支持することができる。更に、周縁部に沿って隣接する支持台同士をそれぞれ連結するように複数の補強リブが環状に設けられているため、支持台及び補強リブが変形しにくい極めて強固な構造となり、ケースからアンテナユニットへの衝撃の伝達をより一層効果的に抑えることができる。
【００３１】
請求項６の発明は、アンテナユニットと支持台との間に、支持台よりも軟質の柔軟部材が挟み込まれている。このようにすると、支持台からアンテナユニットに伝わろうとする衝撃を柔軟部材によって効果的に緩和でき、アンテナユニットを衝撃からより一層良好に保護することができる。
【００３２】
請求項７の発明は、基板の一方の板面側にアンテナが搭載されており、複数の支持台はそれぞれ、その一方の板面におけるアンテナが搭載された領域以外の領域を支持している。このようにすると、基板におけるアンテナ搭載領域以外を利用して支持台を固定できると共に、支持台を介してアンテナユニットに伝達するケースからの衝撃をアンテナに伝わりにくくすることができる。また、基板の一方の板面側において、支持台配置スペース以外を利用してアンテナを収容でき、基板、アンテナ、支持台についてより効率的な配置が可能となる。
【００３３】
請求項８の発明は、アンテナが板状のセラミック材を有してなり、アンテナユニットは、セラミック材と基板とが重ねられた状態で固定された構成をなしている。本発明のように、板状のセラミック材を用いることはアンテナとして優れた機能を実現する上で好ましく、このようなセラミック材を用いる場合、基板と重ねた構成とすることで、より効率的で安定的な配置が可能となる。しかしながら、セラミック材を備えたアンテナは、割れ易い、衝撃に弱い等の特性を有しており、衝撃等に起因してアンテナと基板との接合部の破損等が生じやすいという問題もある。しかしながら、本発明のように支持台と他の支持台とを補強リブによって連結し、支持台の撓み変形等を抑えた構成とした上で上記アンテナユニット（即ち、セラミック材と基板とが重ねられてなるアンテナユニット）を配置すれば、セラミック材を有するアンテナの優れた機能を実現しつつ、上記特性上の問題点を効果的に解消できる。
【００３４】
請求項９の発明は、矩形状の基板の中央領域に矩形状のアンテナが搭載され、複数の支持台は、基板におけるアンテナが搭載された一方面側の角部をそれぞれ支持する構成をなしている。このようにすると、基板及びアンテナを加工容易なシンプルな構成としつつ、複数の支持台によって基板を安定的に支持することができる。また、アンテナユニットの周縁部に沿って隣接する支持台同士がそれぞれ補強リブによって連結され、複数の補強リブが矩形枠状に形成されるため、支持台及び補強リブが変形しにくい極めて強固な構成となり、更に、その矩形枠の内側に矩形状のアンテナが収容されるため、強固な矩形枠構成を有効に利用した効率的な配置が可能となる。
【００３５】
請求項１０の発明は、アンテナユニットの側部と対向する位置に、当該アンテナユニットの側部と当接可能に配置され且つ弾性的に変形可能とされた当接リブが設けられている。このようにすると、アンテナユニットを組付ける際に、アンテナユニットの側部の位置決めを行いやすくなる。
一方、他部品をアンテナユニットと対向させて位置決めを行いやすくすると、ケース外から衝撃（例えば落下衝撃など）が加えられたときに、ケースの変形や、アンテナユニットの位置ずれ等に起因してアンテナユニットが他部品（位置決め部品）に衝突しやすくなることが問題となるが、本発明では、アンテナユニットの側部に弾性変形可能な当接リブを対向させているため、ケース外から衝撃（例えば落下衝撃など）が加えられたときでも、当接リブを弾性変形させてアンテナユニットに加えられる衝撃を吸収することができ、アンテナユニットを安定的に保護することができる。
【００３６】
請求項１１の発明は、当接リブが補強リブより薄く構成されてため、当接リブが補強用のリブよりも変形しやすくなり、支持部付近については補強効果を高め、アンテナユニットの側部付近については弾性変形しやすく構成して衝撃吸収効果を高めることができる。
【００３７】
請求項１２の発明は、当接リブが補強リブよりも軟質の材料によって構成されているため、当接リブが補強用のリブよりも変形しやすくなり、支持部付近については補強効果を高め、アンテナユニットの側部付近については弾性変形しやすく構成して衝撃吸収効果を高めることができる。
【００３８】
請求項１３の発明は、当接リブがケースの側壁部及び底壁部と一体化されている。このようにすると、当接部をケースにより安定的に連結することができ、当接部を弾性変形可能な構成としつつ破損等が生じにくい構成とすることができる。
【００３９】
請求項１４の発明は、ケースの長手方向に並ぶ構成で複数の当接リブが配置されており、これら複数の当接リブが、アンテナユニットの同じ側の側部と対向している。このようにすると、アンテナユニットを組付ける際に、アンテナユニットの一方の側部（同じ側の側部）を、長手方向に並ぶ複数の当接リブによって位置決めすることができるため、長手方向に対するアンテナユニットの傾きも正確に定めやすくなる。また、組み付け後には、ケース外から衝撃（例えば落下衝撃など）が加えられたときに、長手方向に並ぶ複数の当接リブによって衝撃を吸収できるため、衝撃を分散することができ、衝撃吸収効果を一層高めることができる。
【００４０】
請求項１５の発明は、長手方向に並ぶ複数の当接リブが、連結部に遠い位置に配置される第１当接リブと、当該第１当接リブより連結部から近い位置に配置される第２当接リブとを有しており、第１当接リブのほうが第２当接リブよりも変形し難い構造とされている。このように、ケースに対して衝撃が加えられたときに変形量が比較的大きくなる側（即ち、連結部からより離れた側）に相対的に変形しにくい第１当接リブを配置することで、リブの過度な変形を抑えつつ衝撃を吸収することができる。また、ケースに対して衝撃が加えられたときに変形量が比較的小さくなる側（即ち、連結部に近い側）には、相対的に変形しやすい第２当接リブが配置されているため、変形量が小さくても衝撃を良好に吸収できるようになる。
【００４１】
請求項１６の発明は、第１当接リブが、ケースに連結された板状の延出壁と、ケースに連結され且つ延出壁と一体化された板状の対向壁とを備え、延出壁の一端部と対向壁の一方の板面部とが連結された構成をなしている。このようにすると、第１当接リブについては、構造をそれほど複雑化することなく、ある程度弾性変形可能であって且つ強固なリブ構成を実現できる。一方、第２当接リブについては、板状部の側端部をアンテナユニットの側部と対向させた構成で配置されているため、撓み変形し易い簡易な構成で衝撃を良好に吸収できるようになる。
【００４２】
請求項１７の発明は、当接リブが、ケースに連結された板状の延出壁と、ケースに連結され且つ延出壁と一体化された板状の対向壁とを備え、延出壁の一端部と対向壁の一方の板面部とが連結された構成をなしており、対向壁の他方の板面部をアンテナユニットの側部と対向させた構成で配置されている。このようにすると、構造をそれほど複雑化することなく、ある程度弾性変形可能であって且つ強固なリブ構成を実現できる。
【００４３】
請求項１８の発明は、アンテナユニットの基板において、対向壁と対向する位置に、当該基板の内側向きに凹となる切欠部が形成されている。そして、対向壁の他方の板面部が、切欠部の凹み方向奥側に配された内壁奥部と対向し、対向壁の一対の側端部が、切欠部の一対の内壁側部と対向した構成で、対向壁が切欠部に嵌り込んでいる。このようにすると、アンテナユニットの横方向の位置決め（組付け時）、及び横方向への相対移動に起因する衝撃吸収（組付け後）を可能としつつ、更に、前後方向の位置決め、及び前後方向への相対移動に起因する衝撃吸収も可能となる。
【００４４】
請求項１９の発明は、対向壁の下端部が、ケースの底壁部に接合された第１接合部として構成され、延出壁の下端部がケースの底壁部に接合された第２接合部として構成されている。このように、対向壁の下端領域及び延出壁の下端領域をいずれもケースと接合される接合領域とすることにより、衝撃を吸収し得る領域をより広く確保することができ、ケースの底壁部からアンテナユニットに伝わろうとする衝撃をより広い範囲で吸収することができる。
【図面の簡単な説明】
【００４５】
【図１】図１は、本発明の第１実施形態に係る光学的情報読取装置の内部構成を概略的に例示する斜視図である。
【図２】図２は、図１からアンテナユニットを取り外した状態を例示する斜視図である。
【図３】図３は、図１の光学的情報読取装置の電気的構成を例示するブロック図である。
【図４】図４（ａ）は、アンテナユニットを概略的に例示する斜視図であり、図４（ｂ）は、アンテナユニットが支持台に支持される様子を例示する斜視図である。
【図５】図５（ａ）は、アンテナユニットの概略側面図であり、図５（ｂ）は、アンテナユニットが支持台に支持された様子を側方から示す説明図である。
【図６】図６は、支持台及び補強リブを平面視した状態の概略図である。
【図７】図７（ａ）は、第２実施形態に係る光学的情報読取装置において、アンテナユニットが支持台に支持された様子を側方から示す説明図であり、図７（ｂ）は、その様子の斜視図である。
【図８】図８は、第２実施形態の光学的情報読取装置における支持台、補強リブ、柔軟部材を平面視した状態の概略図である。
【図９】図９は、アンテナ支持部の変形例１を説明する説明図である。
【図１０】図１０は、アンテナ支持部の変形例２を説明する説明図である。
【図１１】図１１（ａ）は、第３実施形態に係る光学的情報読取装置の上ケースを示す平面図であり、図１１（ｂ）は、その光学的情報読取装置の下ケースを示す平面図である。
【図１２】図１２は、図１１（ｂ）の下ケースにアンテナユニットを組み付けた状態を示す平面図である。
【図１３】図１３は、図１２の一部を拡大して説明する説明図である。
【図１４】図１４は、下ケースを部分的に拡大して示す拡大図である。
【図１５】図１５は、下ケースにアンテナユニットを組み付けた状態を部分的に拡大して示す拡大図である。
【図１６】図１６は、図１１（ｂ）のＡ−Ａ断面を概略的に示す断面概略図である。
【図１７】図１７（ａ）は、図１３のＢ−Ｂ断面を概略的に示す断面概略図であり、図１７（ｂ）は、図１３のＣ−Ｃ断面を概略的に示す断面概略図である。
【図１８】図１８（ａ）は、第１当接リブと底壁部との接合構造を概略的に例示する斜視図であり、図１８（ｂ）は、第２当接リブと底壁部との接合構造を概略的に例示する斜視図である。
【発明を実施するための形態】
【００４６】
[第１実施形態]
以下、本発明の第１実施形態について図面を参照して説明する。
図１は、本発明の第１実施形態に係る光学的情報読取装置１の内部構成を概略的に例示する斜視図である。図２は、図１からアンテナユニットを取り外した状態を例示する斜視図である。図３は、図１の光学的情報読取装置の電気的構成を例示するブロック図である。図４（ａ）は、アンテナユニットを概略的に例示する斜視図であり、図４（ｂ）は、アンテナユニットが支持台に支持される様子を例示する斜視図である。図５（ａ）は、アンテナユニットの概略側面図であり、図５（ｂ）は、アンテナユニットが支持台に支持された様子を側方から示す説明図である。図６は、支持台及び補強リブを平面視した状態の概略図である。
【００４７】
図１に示す光学的情報読取装置１は、長手状の外観をなしており、その一端側のほぼ半分の領域が把持領域とされ、ユーザによって把持されつつ使用される構成をなしている。この光学的情報読取装置１は、例えば、ユーザによって携帯されて様々な場所で用いられる携帯情報端末として構成されており、バーコードや二次元コードなどの情報コードを読み取る情報コードリーダとしての機能と、無線タグを読み取る無線タグリーダとしての機能とを備え、読み取りを二方式で行いうる構成となっている。
【００４８】
図１に示すように、光学的情報読取装置１は長手状のケース２によって外郭が構成されている。ケース２は、図１に示す下ケース２ａと図示しない上ケースとが結合して長手状の箱状形態をなしており、下ケース２ａには、読取口３、バッテリ収容部５、アンテナ支持部６０（図２参照）などが形成されている。なお、アンテナ支持部６０については後に詳述する。
【００４９】
次に、光学的情報読取装置１が備えている機能について説明する。
図３（ａ）に示すように、光学的情報読取装置１のケース２内には、光学的情報読取装置１全体を制御する制御部８が設けられている。この制御部８は、マイコンを主体として構成されるものであり、ＣＰＵ、システムバス、入出力インタフェース等を有し、メモリ１３とともに情報処理装置を構成している。また、制御部８には、ＬＥＤ９、表示部１０、キー操作部１１、スピーカ１２、外部インターフェース１７などが接続されている。キー操作部１１は、制御部８に対して操作信号を与える構成をなしており、制御部８は、この操作信号を受けて操作信号の内容に応じた動作を行う。また、ＬＥＤ９、スピーカ１２、表示部１０は、制御部８によって制御される構成をなしており、それぞれ、制御部８からの指令を受けて動作する。外部インターフェース１７は、外部装置（例えばホスト装置）との間でのデータ通信を行うためのインターフェースとして構成されており、制御部８と協働して通信処理を行う構成をなしている。また、ケース２内には、電源となるバッテリ１５や電源部１６が設けられており、これらによって制御部８や各種電気部品に電力が供給されるようになっている。
【００５０】
また、制御部８には、非接触通信部２０及び情報コード読取部３０がそれぞれ接続されている。
非接触通信部２０は、アンテナ５１及び制御部８と協働して無線タグ等の非接触通信媒体との間で電磁波による通信を行ない、非接触通信媒体に記憶されるデータの読取り、或いは非接触通信媒体に対するデータの書込みを行なうように機能するものである。この非接触通信部２０は、公知の電波方式で伝送を行う回路として構成されており、図３（ｂ）にて概略的に示すように、発振器２１、変調器２２、復調器２３などを備えてなるものである。なお、非接触通信部２０には、これら以外の公知構成（例えば、増幅器、フィルタ回路、整合回路等）も設けられているが、図３（ｂ）ではこれらについては図示を省略している。
なお、本実施形態では、非接触通信部２０及びアンテナ５１が「非接触通信手段」の一例に相当する。
【００５１】
情報コード読取部３０は、図３（ｃ）に示すように、ＣＣＤエリアセンサからなる受光センサ３３、結像レンズ３７、複数個のＬＥＤやレンズ等から構成される照明部３１などを備えた構成をなしており、制御部８と協働して読取対象Ｒに付された情報コードＣ（バーコードや二次元コード）を読み取るように機能する。この情報コード読取部３０によって読み取りを行う場合、まず、制御部８によって指令を受けた照明部３１から照明光Ｌｆが出射され、この照明光Ｌｆが読取口３（図１、図２参照）を通って読取対象Ｒに照射される。そして、照明光Ｌｆが情報コードＣ（バーコードや二次元コード）にて反射した反射光Ｌｒは読取口３を通って装置内に取り込まれ、結像レンズ３７を通って受光センサ３３に受光される。読取口３と受光センサ３３との間に配される結像レンズ３７は、情報コードＣの像を受光センサ３３上に結像させる構成をなしており、受光センサ３３はこの情報コードＣの像に応じた受光信号を出力する。受光センサ３３から出力された受光信号は、画像データとしてメモリ１３（図３（ａ））に記憶され、デコード処理に用いられるようになっている。なお、情報コード読取部３０には、受光センサ３３からの信号を増幅する増幅回路や、その増幅された信号をデジタル信号に変換するＡＤ変換回路等が設けられているがこれらの回路については図示を省略している。
なお、本実施形態では、情報コード読取部３０が「光学的情報読取手段」の一例に相当する。
【００５２】
次に、アンテナユニット５０及びアンテナ支持部６０等について説明する。
アンテナユニット５０は、図４（ａ）、図５（ａ）に示すように、アンテナ５１とこのアンテナ５１を保持する基板５３とが一体化してなるものであり、図１、図４（ｂ）、図５（ｂ）に示すようにケース２に形成されたアンテナ支持部６０に支持される形態でケース２に固定されている。
【００５３】
アンテナ５１は、板状のセラミック材によって構成されており、図４（ａ）、図５（ｂ）に示すように、アンテナユニット５０は、このセラミック材と基板５３とが重ねられた状態で互いに半田付け等により接合され、固定されている。なお、図５（ｂ）では、半田付け部分を符号５５にて概念的に示している。
【００５４】
図４、図５、図６に示すように、アンテナ５１は、平面視したときの板面形状が矩形形状をなしており、図５（ａ）、図６に示すように、基板５３の一方の板面５３ａの中央領域に実装された形態をなしている。なお、図６は、ケース内壁部２ｃの一部を平面視した状態を概略的に示しており、各支持台６１〜６４に支持されたときの基板５３の外縁を符号５３'で示し、そのときのアンテナ５１の外縁を符号５１'で示している。
【００５５】
図４、図５、図６に示すように、基板５３は、例えば樹脂材料などによって板状に構成されており、アンテナ５１よりも大きいサイズで矩形状に構成されている。なお、本実施形態では、図６に示すように、基板５３の中央領域にアンテナ５１が固定され、基板５３の周縁部（アンテナ５１が実装されたアンテナ実装領域（符号５１'内の領域）の周囲部分）がアンテナ５１が取り付けられていないアンテナ非実装領域とされており、このアンテナ非実装領域が環状に構成されている。
【００５６】
このように構成されるアンテナユニット５０は、図１に示すように、ケース２に形成されたアンテナ支持部６０に支持される形態でケース２に固定されている。アンテナユニット５０を支持するアンテナ支持部は、ケース２の一部として或いはケース２内に固定される部分として構成しうるものであり、図１、図２等では、その一例として、ケース２の内壁部２ｃに形成された複数（ここでは４つ）の支持台６１〜６４と、この支持台６１〜６４を連結する複数の補強リブ６５〜６８とによってアンテナ支持部６０が構成された例を示している。
【００５７】
アンテナ支持部６０を構成する複数の支持台６１〜６４は、いずれも、ケース２の内壁部２ｃにおいて突出形態で形成された突出部からなり、図１、図４（ｂ）、図５（ｂ）に示すように、その先端部でアンテナユニット５０の外面を支持するように構成されている。これら支持台６１〜６４はいずれも、円筒形態をなしており、図６に示すように、それぞれの中心部には、後述するねじ部材７１、７２、７３、７４（図４（ｂ））をそれぞれ挿入するためのねじ孔６１ａ、６２ａ、６３ａ、６４ａが形成されている。
【００５８】
また、これら支持台６１、６２、６３、６４は、図１、図２に示すように、支持台６１と支持台６２とがケース２の幅方向（ケース２の長手方向と直交する方向）に間隔をあけて並び、支持台６３と支持台６４とが同様に幅方向に間隔をあけて並んでいる。また、支持台６１と支持台６３とがケース２の長手方向に間隔をあけて並び、支持台６２と支持台６４とが同様にケース２の長手方向に間隔をあけて並んでいる。なお、図１、図２では、ケース２の長手方向を矢印Ｘにて概念的に示しており、ケース２の幅方向を矢印Ｙにて概念的に示している。
【００５９】
更に本実施形態では、支持台６１、６２、６３、６４を連結する補強リブ６５、６６、６７、６８が設けられている。これら補強リブ６５〜６８は、いずれもケース２の内壁部２ｃの一部として構成され、内壁面から突出する凸条形態をなしており、支持台６１、６２、６３、６４と一体化している。
【００６０】
具体的には、内壁部２ｃに形成された支持台６１と支持台６２とを連結する形態でこれら支持台６１、６２を連結する補強リブ６５が幅方向（Ｙ方向）に延びる形態で形成されており、同様に、内壁部２ｃに形成された支持台６３と支持台６４とを連結する形態でこれら支持台６１、６２を連結する補強リブ６６が幅方向（Ｙ方向）に延びる形態で形成されている。図４（ｂ）、図５（ｂ）に示すように、補強リブ６６は、円筒状に突出する支持台６３、６４よりも低い高さで形成され、支持台６３、６４の基端部側の外周部に連結される形態で固定されている。また、補強リブ６５も同様であり、円筒状に突出する支持台６１、６２よりも低い高さで形成され、支持台６１、６２の外周部に連結される形態で固定されている。
【００６１】
また、支持台６１と支持台６３とを連結する形態でこれら支持台６１、６３を連結する補強リブ６７が長手方向（Ｘ方向）に延びる形態で形成されており、同様に、支持台６２と支持台６４とを連結する形態でこれら支持台６２、６４を連結する補強リブ６８が長手方向（Ｘ方向）に延びる形態で形成されている。図４（ｂ）に示すように、補強リブ６７は、円筒状に突出する支持台６１、６３よりも低い高さで形成され、支持台６１、６３の基端部側の外周部に連結される形態で固定されている。また、補強リブ６８も同様であり、円筒状に突出する支持台６２、６４よりも低い高さで形成され、支持台６２、６４の外周部に連結される形態で固定されている。
【００６２】
このように、本実施形態では、複数の支持台６１、６２、６３、６４が、アンテナユニット５０の周縁部に沿って配置されており、それら複数の支持台６１、６２、６３、６４の内、周縁部に沿って隣接する支持台同士をそれぞれ連結するように、複数の補強リブ６５、６６、６７、６８が環状に設けられている。
【００６３】
次に、アンテナ支持部６０によるアンテナユニット５０の支持構成について説明する。本実施形態では、図４、図５に示すように、アンテナ５１が基板５３の一方の板面５３ａ側に搭載されており、図４（ｂ）、図５（ｂ）、図６に示すように、複数の支持台６１、６２、６３、６４はそれぞれ、その一方の板面５３ａにおけるアンテナ５１が搭載された領域以外の領域（アンテナユニット５０の周縁部付近の複数位置）を支持している。より具体的には、複数の支持台６１、６２、６３、６４は、基板５３におけるアンテナ５１が搭載された一方面側の角部（角付近の部分）５４ａ、５４ｂ、５４ｃ、５４ｄをそれぞれ支持している。そして、各支持台６１、６２、６３、６４のそれぞれの支持位置において、アンテナユニット５０と支持台６１、６２、６３、６４とが、ねじ部材７１、７２、７３、７４によって締結されて固定されている。なお、ねじ部材７１、７２、７３、７４は「固定手段」の一例に相当する。
【００６４】
また、上述したように、複数の支持台６１、６２、６３、６４の内、アンテナユニット５０の周縁部に沿って隣接する支持台同士がそれぞれ補強リブ６５、６６、６７、６８によって連結されており、これにより複数の補強リブ６５、６６、６７、６８が矩形枠状に形成されている。そして、このように複数の補強リブ６５、６６、６７、６８によって構成される矩形枠の内側に、矩形状のアンテナ５１が収容されている。なお、本実施形態では、図４（ａ）、図６のように、基板５３の中央領域にアンテナ５１が搭載され、アンテナ搭載領域を避けた位置が支持台６１、６２、６３、６４によって支持されており、更に、基板５３の周縁部に沿ってそれぞれ補強リブ６５、６６、６７、６８が設けられているため、アンテナ５１が突出する領域には、支持台も補強リブも存在しない構成となっている。
【００６５】
更に、各補強リブ６５〜６８と基板５３の板面５３ａとが、それぞれ間隔があけられており、各補強リブ６５〜６８の基板５３側の端面６５ａ、６６ａ、６７ａ、６８ａと板面５３ａとが距離を隔てた構成となっている。これにより、補強リブ６５〜６８から基板５３に直接衝撃が伝わらないようになっている。
【００６６】
本実施形態の構成によれば、例えば以下のような効果を奏する。
本実施形態の光学的情報読取装置１では、ケース２内に情報コード読取部３０と非接触通信部２０とが設けられているため、単一の装置で光学的な情報読取機能と非接触通信機能とを共に実現でき、ユーザの利便性を高めることができる。また、アンテナ５１が基板５３に保持されてなるアンテナユニット５０を、間隔をあけて配置された複数の支持台６１、６２、６３、６４によって支持しており、これにより、アンテナ５１をケース２内に安定的に固定することができる。更に、少なくともいずれか支持台と他の支持台とが補強リブによって連結されているため、衝撃時に支持台に生じる撓み等の変形を抑えることができ、アンテナユニット５０に支持台６１、６２、６３、６４を介して間接的に加わる衝撃を効果的に緩和できる。
【００６７】
具体的には、複数の支持台６１、６２、６３、６４がそれぞれアンテナユニット５０の周縁部付近を支持しているため、アンテナユニット５０の中央領域にアンテナ５１配置スペースを確保しやすくなっている。
【００６８】
また、ケース２の内壁部２ｃに形成された突出部によって支持台６１、６２、６３、６４が構成されている。このようにすると、アンテナユニット５０を支持する構成をケース２の一部によって簡易に実現できると共に、アンテナユニット５０において支持台６１、６２、６３、６４と当接する領域を小さくでき、更には、支持台付近において部品収容空間を確保しやすくなる。一方、いずれかの突出部と他の突出部を連結する形態で補強リブが設けられているため、支持台６１、６２、６３、６４を、サイズを抑えた突出構成としつつ、当該支持台（突出部）の強度を効果的に高めることができる。
【００６９】
また、ケース２が長手状に形成され、ケース２の長手方向に沿って対向する支持台６１、６３の組、及び支持台６２、６４の組がそれぞれ補強リブ６７、６８によって連結されている。このようにケース２が長手状に構成される場合、作業者が把持しやすくなる反面、衝撃時において長手方向の撓み、変形等が生じやすくなるが、上記のように長手方向に対向する２つの支持台を補強リブによって連結するように構成すれば、ケース２に生じる長手方向の撓み等に対応でき、ケース２形状を適切に考慮した保護が可能となる。
【００７０】
また、複数の支持台６１、６２、６３、６４がアンテナユニット５０の周縁部に沿って配置されているため、アンテナユニット５０の周縁部のスペースを利用して当該アンテナユニット５０を効率的に且つ安定的に支持することができる。更に、周縁部に沿って隣接する支持台同士をそれぞれ連結するように複数の補強リブ６５、６６、６７，６８が環状に設けられているため、支持台及び補強リブが変形しにくい極めて強固な構造となり、ケース２からアンテナユニット５０への衝撃の伝達をより一層効果的に抑えることができる。
【００７１】
また、基板５３の一方の板面５３ａ側にアンテナ５１が搭載されており、複数の支持台６１、６２、６３、６４はそれぞれ、その一方の板面５３ａにおけるアンテナ５１が搭載された領域以外の領域を支持している。このようにすると、基板５３におけるアンテナ５１搭載領域以外を利用して支持台６１、６２、６３、６４を固定できると共に、支持台６１、６２、６３、６４を介してアンテナユニット５０に伝達するケース２からの衝撃をアンテナ５１に伝わりにくくすることができる。また、基板５３の一方の板面５３ａ側において、支持台配置スペース以外を利用してアンテナ５１を収容でき、基板５３、アンテナ５１、支持台６１、６２、６３、６４についてより効率的な配置が可能となる。
【００７２】
また、アンテナ５１が板状のセラミック材を有してなり、アンテナユニット５０は、セラミック材と基板５３とが重ねられた状態で固定されている。本発明のように、板状のセラミック材を用いることはアンテナとして優れた機能を実現する上で好ましく、このようなセラミック材を用いる場合、基板５３と重ねた構成とすることで、より効率的で安定的な配置が可能となる。しかしながら、セラミック材を備えたアンテナは、割れ易い、衝撃に弱い等の特性を有しており、衝撃等に起因してアンテナと基板５３との接合部の破損等が生じやすいという問題もある。その点、本発明のように支持台６１、６２、６３、６４同士を補強リブによって連結し、支持台６１、６２、６３、６４の撓み変形等を抑えた構成とした上で上記アンテナユニット５０（即ち、セラミック材と基板５３とが重ねられてなるアンテナユニット５０）を配置すれば、セラミック材を有するアンテナの優れた機能を実現しつつ、上記特性上の問題点を効果的に解消できる。
【００７３】
また、矩形状の基板５３の中央領域に矩形状のアンテナ５１が搭載され、複数の支持台６１、６２、６３、６４は、基板５３におけるアンテナ５１が搭載された一方面側の角部５４ａ〜５４ｄをそれぞれ支持する構成をなしている。このようにすると、基板５３及びアンテナ５１を加工容易なシンプルな構成としつつ、複数の支持台６１、６２、６３、６４によって基板５３を安定的に支持することができる。また、アンテナユニット５０の周縁部に沿って隣接する支持台同士がそれぞれ補強リブ６５、６６、６７，６８によって連結され、複数の補強リブ６５、６６、６７，６８が矩形枠状に形成されるため、支持台６１、６２、６３、６４及び補強リブ６５、６６、６７，６８が変形しにくい極めて強固な構成となり、更に、その矩形枠の内側に矩形状のアンテナ５１が収容されるため、強固な矩形枠構成を有効に利用した効率的な配置が可能となる。
【００７４】
［第２実施形態]
次に第２実施形態について説明する。
図７（ａ）は、第２実施形態に係る光学的情報読取装置において、アンテナユニットが支持台に支持された様子を側方から示す説明図であり、図７（ｂ）は、その様子の斜視図である。また、図８は、第２実施形態の光学的情報読取装置における支持台及び補強リブを平面視した状態の概略図である。
【００７５】
なお、本実施形態の構成は、各支持台６１〜６４の突出高さを第１実施形態よりもわずかに低くした点、及び支持台６１〜６４と基板５３との間に柔軟部材２０１〜２０４をそれぞれ設けた点のみが第１実施形態と異なり、それ以外は第１実施形態と同様である。よって第１実施形態と同様の構成については第１実施形態と同一の符号を付し、詳細な説明は省略する。また、第１実施形態と同様の構成を説明するために、必要に応じて適宜図１等を参照することとする。
【００７６】
本実施形態の光学的情報読取装置も、図１〜図３に示すように、ケース２と、光学的情報を読み取る情報コード読取部３０と、アンテナ５１を用いて非接触通信媒体と非接触通信を行う非接触通信部２０と、を有し、アンテナ５１がケース２内に収容された構成をなしている。また、アンテナユニット５０も第１実施形態と同様であり、図４（ａ）、図５（ａ）のように、アンテナ５１と、アンテナ５１を保持する基板５３とを備え、アンテナ５１が基板５３に保持されて一体化されている。
【００７７】
また、本実施形態でも、図７（ａ）（ｂ）に示すように、アンテナユニット５０を支持（本実施形態では、柔軟部材２０１〜２０４を介在させて間接的に支持）する複数の支持台６１、６２、６３、６４が設けられ、複数の支持台６１、６２、６３、６４が互いに間隔をあけて配置されると共に、アンテナユニット５０における複数位置において当該アンテナユニット５０と支持台６１、６２、６３、６４とがねじ部材７１，７２，７３，７４（固定手段）によって固定されている。
【００７８】
また、本実施形態でも、アンテナ５１は矩形状に構成され、基板５３は、アンテナ５１よりも大きいサイズで矩形状に構成されている。そして、当該基板５３の中央領域にアンテナ５１が搭載されており、複数の支持台６１〜６４は、基板５３におけるアンテナ５１が搭載された一方面側の角部をそれぞれ支持する構成をなしている。更に、それら複数の支持台６１〜６４の内、アンテナユニット５０の周縁部に沿って隣接する支持台同士がそれぞれ補強リブによって連結された構成で、複数の補強リブ６５〜６８が矩形枠状に形成されており、更に、複数の補強リブ６５〜６８によって構成される矩形枠の内側に、矩形状のアンテナ５１が収容されている。
【００７９】
一方、本実施形態では、図７（ａ）（ｂ）、図８に示すように、アンテナユニット５０と支持台６１〜６４との間に、支持台６１〜６４よりも軟質の柔軟部材２０１〜２０４が挟み込まれている。具体的には、支持台６１と基板５３との間に柔軟部材２０１が挟み込まれており、この状態で、基板５３、柔軟部材２０１を貫通するねじ部材７１が固定されて締結されている。
【００８０】
同様に、支持台６２と基板５３との間に柔軟部材２０２が挟み込まれており、この状態で、基板５３、柔軟部材２０２を貫通するねじ部材７２が固定されて締結されている。更に、支持台６３と基板５３との間に柔軟部材２０３が挟み込まれており、この状態で、基板５３、柔軟部材２０３を貫通するねじ部材７３が固定されて締結され、支持台６４と基板５３との間に柔軟部材２０４が挟み込まれており、この状態で、基板５３、柔軟部材２０４を貫通するねじ部材７４が固定されて締結されている。
【００８１】
柔軟部材２０１〜２０４の材質は、支持台６１〜６４及び基板５３よりも柔軟な材質が採用され、例えば、支持台６１〜６４をＡＢＳなどの樹脂材料によって構成した場合にはこれよりも柔軟なゴム、エラストマーなどの材料を好適に用いることができる。
【００８２】
本実施形態の構成では、アンテナユニット５０と、支持台６１〜６４のそれぞれとの間に、支持台６１〜６４よりも軟質の柔軟部材２０１〜２０４が挟み込まれているため、支持台６１〜６４からアンテナユニット５０に伝わろうとする衝撃を柔軟部材２０１〜２０４によって効果的に緩和でき、アンテナユニット５０を衝撃からより一層良好に保護することができる。
【００８３】
［第３実施形態］
次に第３実施形態について説明する。図１１（ａ）は、第３実施形態に係る光学的情報読取装置の上ケースを示す平面図であり、図１１（ｂ）は、その光学的情報読取装置の下ケースを示す平面図である。図１２は、図１１（ｂ）の下ケースにアンテナユニットを組み付けた状態を示す平面図である。図１３は、図１２の一部を拡大して説明する説明図である。図１４は、下ケースを部分的に拡大して示す拡大図であり、図１５は、下ケースにアンテナユニットを組み付けた状態を部分的に拡大して示す拡大図である。図１６は、図１１（ｂ）のＡ−Ａ断面を概略的に示す断面概略図である。図１７（ａ）は、図１３のＢ−Ｂ断面を概略的に示す断面概略図であり、図１７（ｂ）は、図１３のＣ−Ｃ断面を概略的に示す断面概略図である。
【００８４】
なお、本実施形態の構成は、ケース２の内部に当接リブ４１０を設けた点、基板５３の一部に切欠部４８１，４８２を設けた点が第１実施形態と異なり、それ以外は第１実施形態と同様である。よって、同様の部分については第１実施形態と同一の符号を付し、詳細な説明は省略する。また、第１実施形態と同様の構成を説明するために、必要に応じて適宜図１等を参照することとする。
【００８５】
本実施形態の光学的情報読取装置も、図１１に示すように、ケース２と、光学的情報を読み取る情報コード読取部３０（図３）と、アンテナ５１を用いて非接触通信媒体と非接触通信を行う非接触通信部２０（図３）とを有し、アンテナ５１がケース２内に収容された構成をなしている。また、アンテナユニット５０も第１実施形態と同様であり、図４（ａ）、図５（ａ）と同様に、アンテナ５１と、アンテナ５１を保持する基板５３とを備え、アンテナ５１が基板５３に保持されて一体化されている。なお、図１１〜図１６では、第１実施形態で概略的に示されたアンテナユニットの構成をより具体的して示しているが、基本的構成は第１実施形態と同様である。
【００８６】
また、本実施形態でも、図１１（ａ）、図１３に示すように、アンテナユニット５０を支持する複数の支持台６１、６２、６３、６４が設けられ、複数の支持台６１、６２、６３、６４が互いに間隔をあけて配置されると共に、アンテナユニット５０における複数位置において当該アンテナユニット５０と支持台６１、６２、６３、６４とがねじ部材７１，７２，７３，７４（固定手段）によって固定されている。
【００８７】
また、本実施形態でも、アンテナ５１は矩形状に構成され、基板５３は、アンテナ５１よりも大きいサイズで矩形状に構成されている。そして、当該基板５３の中央領域にアンテナ５１が搭載されており、複数の支持台６１〜６４は、基板５３におけるアンテナ５１が搭載された一方面側の角部をそれぞれ支持する構成をなしている。更に、それら複数の支持台６１〜６４の内、アンテナユニット５０の周縁部に沿って隣接する支持台同士がそれぞれ補強リブによって連結された構成で、複数の補強リブ６５〜６８が矩形枠状に形成されており、更に、複数の補強リブ６５〜６８によって構成される矩形枠の内側に、矩形状のアンテナ５１が収容されている。なお、本実施形態では、図１４等に示すように、補強リブ６５〜６８において、環状リブ４６１〜４７０が連結されているが、このような環状リブ４６１〜４７０を設けずに、補強リブ６５〜６８を第１実施形態と全く同一の構成としてもよい。
【００８８】
本実施形態に係る光学的情報読取装置４００では、更に、アンテナユニット５０の側部と対向する位置に当接リブ４１０が設けられている。図１２、図１３に示すように、ケース２の短手方向一方側に設けられた側壁部４０３に隣接して２つの当接リブ４１０（第１当接リブ４１１及び第２当接リブ４２１）が配置されており、ケース２の短手方向他方側に設けられた側壁部４０４に隣接して、２つの当接リブ４１０（第１当接リブ４１２及び第２当接リブ４２２）が配置されている。４つの当接リブ４１０（第１当接リブ４１１、４１２、第２当接リブ４２１、４２２）は、いずれもアンテナユニット５０の側部と当接可能とされ且つ弾性的に変形しうる構成をなしている。
【００８９】
側壁部４０３側の２つの当接リブ４１０（第１当接リブ４１１及び第２当接リブ４２１）は、ケース２の長手方向（Ｘ方向）に並ぶ構成で配置されており、これら２つの当接リブ４１０（第１当接リブ４１１及び第２当接リブ４２１）が、いずれもアンテナユニット５０の同じ側（側壁部４０３側）の側部５０ａと対向している。
【００９０】
また、側壁部４０４側の２つの当接リブ４１０（第１当接リブ４１２及び第２当接リブ４２２）も、ケース２の長手方向（Ｘ方向）に並ぶ構成で配置されており、これら２つの当接リブ４１０（第１当接リブ４１２及び第２当接リブ４２２）は、いずれもアンテナユニット５０の同じ側（側壁部４０４側）の側部５０ｂと対向している。
【００９１】
次に、第１当接リブ４１１、４１２について詳述する。
図１４、図１５に示すように、側壁部４０３側の第１当接リブ４１１は、ケース２に連結された板状の延出壁４１３と、ケース２に連結され且つ延出壁４１３と一体化された板状の対向壁４１４とを備えており、延出壁４１３の一端部（ケース２の短手方向（Ｙ方向）における一端部）と対向壁４１４の一方の板面部４１４ａとが連結された構成をなしている。図１４、図１７（ｂ）に示すように、延出壁４１３は、ケース２の底壁部４０２から立ち上がり状に延出すると共にこの底壁部４０２と一体化されている。更に、延出壁４１３は、連結部４３１を介して側壁部４０３からも延出しており、この側壁部４０３とも一体化されている。
【００９２】
また、対向壁４１４は、ケース２の底壁部４０２から立ち上がり状に延出すると共にこの底壁部４０２と一体化されており、当該対向壁４１４の板面方向と延出壁４１３の板面方向とがほぼ直交する構成で互いに連結している。本実施形態では、対向壁４１４の下端部におけるほぼ全領域がケース２の底壁部４０２に接合された「第１接合部」として構成され、当該下端部（第１接合部）と底壁部４０２との接合領域はケース２の長手方向に延びる構成となっている。また、延出部４１３の下端部におけるほぼ全領域がケース２の底壁部４０２に接合された「第２接合部」として構成され、当該下端部（第２接合部）と底壁部４０２との接合領域はケース２の短手方向に延びる構成となっている。なお、図１８（ａ）では、もう一方の第１当接リブ４１２と底壁部４０２との接合構成を示しているが、第１当接リブ４１１と底壁部４０２との接合構成も同様となっている。
【００９３】
また、対向壁４１４の板面部４１４ｂからアンテナユニット５０側に突出する形態で、リブ状の突出部４１８が設けられている。このように構成される第１当接リブ４１１は、対向壁４１４の板面部４１４ｂをアンテナユニット５０の側部５０ｂ（より詳しくは、基板５３における側壁部４０３側の周縁部５３ｂ）と対向させた構成で配置されている。
【００９４】
ケース２の短手方向（Ｙ方向）において、第１当接リブ４１１の反対側の位置には、この第１当接リブ４１１と対をなす第１当接リブ４１２が配置されている。これら第１当接リブ４１１と第１当接リブ４１２の間の間隔は、基板５３における切欠部４８１と切欠部４８２の間の間隔よりもわずかに大きく構成されており、アンテナユニット５０における切欠部４８１と切欠部４８２の間の部分が、これら第１当接リブ４１２及び第１当接リブ４１１の間に挟まれている。
【００９５】
側壁部４０４側の第１当接リブ４１２は、ケース２に連結された板状の延出壁４１５と、ケース２に連結され且つ延出壁４１５と一体化された板状の対向壁４１６とを備えており、延出壁４１５の一端部（ケース２の短手方向（Ｙ方向）における一端部）と対向壁４１６の一方の板面部４１６ａとが連結された構成をなしている。図１４、図１７（ｂ）に示すように、延出壁４１５は、ケース２の底壁部４０２から立ち上がり状に延出すると共にこの底壁部４０２と一体化されている。更に、延出壁４１５は、連結部４３２を介して側壁部４０４からも延出しており、この側壁部４０４とも一体化されている。
【００９６】
また、対向壁４１６は、ケース２の底壁部４０２から立ち上がり状に延出すると共にこの底壁部４０２と一体化されており、当該対向壁４１６の板面方向と延出壁４１５の板面方向とがほぼ直交する構成で互いに連結している。本実施形態では、図１８（ａ）に示すように、対向壁４１６の下端部におけるほぼ全領域がケース２の底壁部４０２に接合された「第１接合部」として構成され、当該下端部（第１接合部）と底壁部４０２との接合領域はケース２の長手方向に延びる構成となっている。また、延出部４１５の下端部におけるほぼ全領域がケース２の底壁部４０２に接合された「第２接合部」として構成され、当該下端部（第２接合部）と底壁部４０２との接合領域はケース２の短手方向に延びる構成となっている。このように、第１当接リブ４１２では、対向壁４１６と延出壁４１５のいずれもが底壁部４０２に接合され、接合領域が広く確保されているため、底壁部４０２に衝撃が加えられたときに、当該衝撃を図１８（ａ）の矢印Ｆ１〜Ｆ３で例示されるような広範にわたる様々な部位の弾性変形によって吸収することができ、図１８（ｂ）のように一枚板のものを底壁部４０２に連結させたような構成（図１８（ｂ）では、第２当接リブ４２２と底壁部４０２との接合構成を例示）と比較してより衝撃吸収効果を高めることができる。なお、このような効果は、同様の構成をなす第１当接リブ４１１においても同様に得られる。
【００９７】
また、対向壁４１６の板面部４１６ｂからアンテナユニット５０側に突出する形態で、リブ状の突出部４１９が設けられている。このように構成される第１当接リブ４１２は、対向壁４１６の板面部４１６ｂをアンテナユニット５０の側部５０ｃ（より詳しくは、基板５３における側壁部４０４側の周縁部５３ｃ）と対向させた構成で配置されている。
【００９８】
アンテナユニット５０の基板５３には、各第１当接リブ４１１、４１２に対向する位置に、当該基板５３の内側向きに凹となる切欠部４８１、４８２がそれぞれ形成されている。各切欠部４８１、４８２は、ケース２の短手方向（Ｙ方向）における基板中心側に凹む構成をなしている。
【００９９】
側壁部４０３側の切欠部４８１は、凹み方向奥側に配される内壁部４８３と、ケース２の長手方向（Ｘ方向）において対向して配置される一対の内壁側部４８４、４８５を有している。この切欠部４８１と対向する第１当接リブ４１１は、対向壁４１４の板面部４１４ｂを内壁奥部４８３と対向させ、対向壁４１４の一対の側端部４１４ｃ、４１４ｄをそれぞれ内壁側部４８４、４８５と対向させた構成で、対向壁４１４を切欠部４８１に嵌り込ませている。また、図１５に示すように、対向壁４１４の板面部４１４ｂと切欠部４８１の内壁奥部４８３との間には隙間が設けられており、この隙間内において、突出部４１８が、先端部を内壁奥部４８３と対向させた構成で突出している。
【０１００】
側壁部４０４側の切欠部４８２も同様の構成をなしており、凹み方向奥側に配される内壁部４８６と、ケース２の長手方向（Ｘ方向）において対向して配置される一対の内壁側部４８７、４８８を有している。この切欠部４８２と対向する第１当接リブ４１２は、対向壁４１６の板面部４１６ｂを内壁奥部４８６と対向させ、対向壁４１６の一対の側端部４１６ｃ、４１６ｄをそれぞれ内壁側部４８７、４８７と対向させた構成で、対向壁４１６を切欠部４８２に嵌り込ませている。また、図１５に示すように、対向壁４１６の板面部４１６ｂと切欠部４８２の内壁奥部４８６との間には隙間が設けられており、この隙間内において、突出部４１９が、先端部を内壁奥部４８６と対向させた構成で突出している。
【０１０１】
また、本実施形態では、第１当接リブ４１１、４１２の延出壁４１３、４１４及び対向壁４１４、４１６のいずれも、補強リブ６５,６６,６７,６８よりも薄く構成されており、第１当接リブ４１１、４１２のいずれも、底壁部４０２からの延出高さが、補強リブ６５,６６,６７,６８よりも高く構成されており、各第１当接リブ４１１、４１２が、第１補強リブ６５,６６,６７,６８よりも弾性変形しやすくなっている。
【０１０２】
次に、第２当接リブ４２１、４２２について詳述する。
側壁部４０３側の第２当接リブ４２１は、板状部４２３を備えてなるものであり、この板状部４２３の側端部４２３ａをアンテナユニット５０の側部５０ａ（より詳しくは、基板５３における側壁部４０３側の周縁部５３ｂ）と対向させた構成で配置されている。この板状部４２３は、図１４、図１７（ａ）に示すように、ケース２の底壁部４０２から立ち上がり状に延出すると共にこの底壁部４０２と一体化されている。更に、板状部４２３は、側壁部４０３から延びる軸状部４３４を介して側壁部４０３にも連結され、この側壁部４０３とも一体化されている。
【０１０３】
側壁部４０４側の第２当接リブ４２２は、板状部４２４を備えてなるものであり、この板状部４２４の側端部４２４ａをアンテナユニット５０の側部５０ｂ（より詳しくは、基板５３における側壁部４０４側の周縁部５３ｃ）と対向させた構成で配置されている。この板状部４２４は、図１４、図１７（ａ）に示すように、ケース２の底壁部４０２から立ち上がり状に延出すると共にこの底壁部４０２と一体化されている。更に、板状部４２３は、側壁部４０４からも延出しており、この側壁部４０３とも一体化されている。
【０１０４】
第２当接リブ４２１、４２２のいずれの板状部４２３、４２４も、上述の補強リブ６５,６６,６７,６８よりも薄く構成され、いずれの板状部４２３、４２４も、底壁部４０２からの延出高さがこれら補強リブ６５,６６,６７,６８よりも高く構成されており、補強リブ６５,６６,６７,６８よりも弾性変形しやすく構成されている。
【０１０５】
また、本実施形態では、ケース２が、下ケース２ａ（第１のケース体）と上ケース２ｂ（第２のケース体）とによって構成されており、ケース２の長手方向（Ｘ方向）複数位置において、下ケース２ａと上ケース２ｂとを連結する連結部４０６ａ、４０６ｂ、４０７ａ、４０７ｂ、４０８ａ、４０８ｂが設けられている。これら連結部４０６ａ、４０６ｂ、４０７ａ、４０７ｂ、４０８ａ、４０８ｂは、図示しない連結部材（ねじ等）によって上ケース２ｂ側の各所定部分（図示略）と連結する部分であり、ケース２の長手方向一端寄りに連結部４０６ａ、４０６ｂが対をなして配置され、ケース２の長手方向中央部付近に部４０７ａ、４０７ｂが対をなして配置され、ケース２の長手方向他端寄りに連結部４０８ａ、４０８ｂが対をなして配置されている。
【０１０６】
一方、側壁部４０３側において、第１当接リブ４１１及び第２当接リブ４２１が長手方向に並んでおり、連結部から遠い位置に配置される第１当接リブ４１１のほうが、当該第１当接リブ４１１より連結部に近い位置に配置される第２当接リブ４２１よりも変形し難い構造とされている。即ち、第１当接リブ４１１から当該第１当接リブ４１１に最も近い位置に配置される連結部４０７ａまでの距離が、第２当接リブ４２１から当該第２当接リブ４２１に最も近い位置に配置される連結部４０７ａまでの距離よりも長くなっており、最も近い連結部までの距離が長い第１当接リブ４１１のほうが、最も近い連結部までの距離が短い第２当接リブ４２１よりも変形し難い構造とされている。上述したように、第１当接リブ４１１は、ケース２に連結された延出壁４１３の端部に、ケース２に連結された対向壁４１４の板面部４１４ａが連結された構造をなしており、一枚板状の板状部４２３からなる第２当接リブ４２１よりも全体として撓み変形し難くなっている。また、第１当接リブ４１１の延出壁４１３、対向壁４１４は、板状部４２３よりも厚く構成されており、延出壁４１３及び対向壁４１４のそれぞれについても第２当接リブ４２１よりも撓み変形しにくくなっている。
【０１０７】
また、側壁部４０４側においては、第１当接リブ４１２及び第２当接リブ４２２が長手方向に並んでおり、連結部から遠い位置に配置される第１当接リブ４１２のほうが、当該第１当接リブ４１２より連結部に近い位置に配置される第２当接リブ４２２よりも変形し難い構造とされている。即ち、第１当接リブ４１２から当該第１当接リブ４１２に最も近い位置に配置される連結部４０７ｂまでの距離が、第２当接リブ４２２から当該第２当接リブ４２２に最も近い位置に配置される連結部４０７ｂまでの距離よりも長くなっており、最も近い連結部までの距離が長い第１当接リブ４１２のほうが、最も近い連結部までの距離が短い第２当接リブ４２２よりも変形し難い構造とされている。上述したように、第１当接リブ４１２は、ケース２に連結された延出壁４１５の端部に、ケース２に連結された対向壁４１６の板面部４１６ａが連結された構造をなしており、一枚板状の板状部４２４からなる第２当接リブ４２２よりも全体として撓み変形し難くなっている。また、第１当接リブ４１２の延出壁４１５、対向壁４１６は、板状部４２４よりも厚く構成されており、延出壁４１５及び対向壁４１６のそれぞれについても第２当接リブ４２２よりも撓み変形しにくくなっている。
【０１０８】
（第３実施形態の主な効果）
本実施形態では、アンテナユニット５０の側部と対向する位置に、当該アンテナユニット５０の側部と当接可能に配置され且つ弾性的に変形可能とされた当接リブ４１０が設けられている。このようにすると、アンテナユニット５０を組付ける際に、アンテナユニット５０の側部の位置決めを行いやすくなる。一方、他部品をアンテナユニット５０と対向させて位置決めを行いやすくすると、ケース外から衝撃（例えば落下衝撃など）が加えられたときに、ケースの変形や、アンテナユニット５０の位置ずれ等に起因してアンテナユニット５０が他部品（位置決め部品）に衝突しやすくなることが問題となるが、本発明では、アンテナユニット５０の側部に弾性変形可能な当接リブ４１０を対向させているため、ケース外から衝撃（例えば落下衝撃など）が加えられたときでも、当接リブ４１０を弾性変形させてアンテナユニット５０に加えられる衝撃を吸収することができ、アンテナユニット５０を安定的に保護することができる。
【０１０９】
また、各当接リブ４１０が補強リブ６５,６６,６７,６８より薄く構成されてため、当接リブ４１０が補強用のリブよりも変形しやすくなり、支持部付近については補強効果を高め、アンテナユニット５０の側部付近については弾性変形しやすくして衝撃吸収効果を高めることができる。
【０１１０】
また、各当接リブ４１０がケースの側壁部及び底壁部と一体化されている。このようにすると、当接リブ４１０をケースに安定的に連結することができ、弾性変形可能な構成としつつ破損等が生じにくい構成とすることができる。
【０１１１】
また、側壁部４０３側、４０４側のいずれにおいても、ケース２の長手方向（Ｙ方向）に並ぶ構成で２つの当接リブ４１０が配置されており、各側壁部側の各当接リブ対（側壁部４０３側の第１当接リブ４１１及び第２当接リブ４２１の対、側壁部４０４側の第１当接リブ４１２及び第２当接リブ４２２の対）が、アンテナユニット５０の同じ側の側部と対向している。このようにすると、アンテナユニット５０を組付ける際に、アンテナユニット５０の各側部（同じ側の側部）それぞれを、長手方向に並ぶ２つの当接リブによって位置決めすることができるため、長手方向に対するアンテナユニット５０の傾きも正確に定めやすくなる。また、組み付け後には、ケース外から衝撃（例えば落下衝撃など）が加えられたときに、各側部に生じる衝撃を、長手方向に並ぶ２つの当接リブによってそれぞれ吸収することができるため、衝撃を分散させることができ、衝撃吸収効果を一層高めることができる。
【０１１２】
また、長手方向に並ぶ各当接リブ対（第１当接リブ４１１と第２当接リブ４２１の対、及び第１当接リブ４１２と第２当接リブ４２２の対）がいずれも、連結部に遠い位置に配置される第１当接リブと、当該第１当接リブより連結部から近い位置に配置される第２当接リブとからなり、第１当接リブのほうが第２当接リブよりも変形し難い構造とされている。このように、ケース２に対して衝撃が加えられたときに変形量が比較的大きくなる側（即ち、連結部からより離れた側）に相対的に変形しにくい第１当接リブを配置することで、リブの過度な変形を抑えつつ衝撃を吸収することができる。また、ケース２に対して衝撃が加えられたときに変形量が比較的小さくなる側（即ち、連結部に近い側）には、相対的に変形しやすい第２当接リブが配置されているため、変形量が小さくても衝撃を良好に吸収できるようになる。
【０１１３】
また、各第１当接リブ４１１、４１２が、ケース２に連結された板状の延出壁と、ケース２に連結され且つ延出壁と一体化された板状の対向壁とを備えており、延出壁の一端部と対向壁の一方の板面部とが連結された構成をなしている。このようにすると、各第１当接リブ４１１、４１２については、構造をそれほど複雑化することなく、ある程度弾性変形可能であって且つ強固なリブ構成を実現できる。一方、各第２当接リブ４２１、４２２は、板状部の側端部をアンテナユニット５０の側部と対向させた構成で配置されているため、撓み変形し易い簡易な構成で衝撃を良好に吸収できるようになる。
【０１１４】
また、アンテナユニット５０の基板５３において、各対向壁４１４、４１６と対向する位置に、当該基板５３の内側向きに凹となる切欠部４８１、４８２が形成されている。そして、各対向壁の他方の板面部４１４ｂ、４１６ｂが、各切欠部４８１、４８２の凹み方向奥側に配された各内壁奥部４８３、４８６と対向し、各対向壁４１４、４１６それぞれの一対の側端部が、各切欠部４８１、４８２それぞれの一対の内壁側部と対向した構成で、各対向壁４１４、４１６が各切欠部４８１、４８２に嵌り込んでいる。このようにすると、アンテナユニット５０の横方向（ケース２の短手方向（Ｙ方向））の位置決め（組付け時）、及び横方向への相対移動に起因する衝撃吸収（組付け後）を可能としつつ、更に、前後方向（ケース２の長手方向（Ｘ方向））の位置決め、及び前後方向への相対移動に起因する衝撃吸収も可能となる。
【０１１５】
また、本実施形態では、第１当接リブ４１１、４１２のそれぞれにおいて、対向壁４１４，４１６の下端部が、ケース２の底壁部４０２に接合された第１接合部として構成され、延出壁４１３，４１５の下端部がケース２の底壁部４０２に接合された第２接合部として構成されている。このように、対向壁の下端領域及び延出壁の下端領域をいずれもケースと接合される接合領域とすることにより、衝撃を吸収し得る領域をより広く確保することができ、ケースの底壁部からアンテナユニットに伝わろうとする衝撃をより広い範囲で吸収することができる。
【０１１６】
［他の実施形態]
本発明は上記記述及び図面によって説明した実施形態に限定されるものではなく、例えば次のような実施形態も本発明の技術的範囲に含まれる。
【０１１７】
上記実施形態では、ケース２の長手方向及び幅方向のいずれにも補強リブが設けられた構成を例示したが、いずれか一方の方向に延びる補強リブのみを配置してもよい。例えば、図９のアンテナ支持部２６０のように、幅方向（Ｙ方向）に延びる補強リブを設けずに長手方向（Ｘ方向）に延びる補強リブ６７、６８のみを設けるようにしてもよい。なお、図９の構成は、図６等に示す第１実施形態の構成から補強リブ６５、６６を省略した点のみが第１実施形態と異なり、それ以外は第１実施形態と同一構成である。
【０１１８】
また、図９のようにせずに、幅方向（Ｙ方向）に延びる補強リブのみを設け、長手方向（Ｘ方向）に延びる補強リブを省略することもできる。或いは、図６の構成から、いずれか１つの補強リブ（例えば幅方向に延びる補強リブの一つ）を省略するといった構成であってもよい。
【０１１９】
上記実施形態では、支持台間にそれぞれ１本の補強リブが設けられた構成を例示したが、図１０のように、支持台間の補強リブの数は２以上であってもよい。図１０の例では、支持台６１と支持台６３とを連結する補強リブを２本の補強リブ３６７ａ、３６７ｂとし、支持台６２と支持台６４とを連結する補強リブを２本の補強リブ３６８ａ、３６８ｂとした点が第１実施形態と異なり、それ以外は第１実施形態と同一構成である。図１０の構成によれば、アンテナ支持部３６０を長手方向の撓みにより強い構成とすることができる。
【０１２０】
上記実施形態では、「複数の支持台」として４つの支持台６１〜６４を例示したが、支持台の数はこれと異なる数でもよい。例えば、３つの支持台によってアンテナユニット５０を支持する構成であってもよく、５以上の支持台でアンテナユニット５０を支持する構成であってもよい。
【０１２１】
上記実施形態では、外装ケースとして構成されるケース２の内壁部によってアンテナ保持部６０、２６０、３６０を構成したが、アンテナ保持部は、ケース２とは別部材によって構成されていてもよい。例えば、ケース２の内壁部に固定される内部フレームによってアンテナ保持部が構成されていてもよい。
【０１２２】
上記実施形態では、基板５３と支持台６１〜６４とを固定する固定手段としてねじ部材７１〜７４を例示したが、支持台６１〜６４と基板５３とを固定しうる手段であればねじ部材に限られない。例えば、ケース内壁部に形成された係合爪などを固定手段として機能させてもよい。
【０１２３】
第３実施形態では、第１実施形態の特徴を全て備え、更に、複数の当接リブ４１０及び切欠部４８１、４８２を追加した例を示したが、第２実施形態の特徴を全て備えた構成において、第３実施形態と同様の当接リブ４１０及び切欠部４８１、４８２を設けるようにしてもよい。
【０１２４】
第３実施形態では、各当接リブ４１０を補強リブ６５,６６,６７,６８と同一の材料によって構成し、これら補強リブ６５,６６,６７,６８と一体的に形成した例を示したが、各当接リブ４１０を、補強リブ６５,６６,６７,６８よりも軟質の材料によって構成してもよい。例えば、補強リブ６５,６６,６７,６８をポリカーボネイトによって構成し、各当接リブ４１０をナイロン、エラストマー、ＡＢＳのいずれかによって構成してもよく、或いは、補強リブ６５,６６,６７,６８をＡＢＳによって構成し、各当接リブ４１０をナイロン、エラストマーのいずれかによって構成してもよい。このようにすると、各当接リブ４１０が補強用のリブよりも変形しやすくなり、支持部付近については補強効果を高め、アンテナユニットの側部付近については弾性変形しやすく構成して衝撃吸収効果を高めることができる。
【符号の説明】
【０１２５】
１，４００…光学的情報読取装置
２…ケース
２ａ…下ケース（第１ケース体）
２ｂ…上ケース（第２ケース体）
２ｃ…内壁部
２０…非接触通信部（非接触通信手段）
３０…情報コード読取部（光学的情報読取手段）
５０…アンテナユニット
５１…アンテナ（非接触通信手段）
５３…基板
６１,６２,６３,６４…支持台（突出部）
６５,６６,６７,６８…補強リブ
７１,７２,７３,７４…ねじ部材（固定手段）
２０１,２０２,２０３,２０４…柔軟部材
４０２…底壁部
４０３，４０４…側壁部
４０６ａ、４０６ｂ、４０７ａ、４０７ｂ、４０８ａ、４０８ｂ…連結部
４１０…当接リブ
４１１，４１２…第１当接リブ
４１３，４１５…延出壁
４１４，４１６…対向壁
４２１，４２２…第２当接リブ
４２３，４２４…板状部
４８１，４８２…切欠部
４８３，４８６…内壁奥部
４８４，４８５，４８７，４８８…内壁側部
【図１】
2010134896.tif 000003
【図２】
2010134896.tif 000004
【図３】
2010134896.tif 000005
【図４】
2010134896.tif 000006
【図５】
2010134896.tif 000007
【図６】
2010134896.tif 000008
【図７】
2010134896.tif 000009
【図８】
2010134896.tif 000010
【図９】
2010134896.tif 000011
【図１０】
2010134896.tif 000012
【図１１】
2010134896.tif 000013
【図１２】
2010134896.tif 000014
【図１３】
2010134896.tif 000015
【図１４】
2010134896.tif 000016
【図１５】
2010134896.tif 000017
【図１６】
2010134896.tif 000018
【図１７】
2010134896.tif 000019
【図１８】
2010134896.tif 000020